(57)【特許請求の範囲】
【請求項１】
鼠が侵入する侵入口を有する容器本体と、当該容器本体に合わされるための蓋体と、を備え、中央部に貫通孔を有する固形状の殺鼠剤を前記容器本体の内部に収容するための殺鼠剤収納容器であって、
前記貫通孔を用いて前記殺鼠剤を前記容器本体の内部で保持するため、前記容器本体の底面及び前記蓋体の裏面のそれぞれに、第１の突状部及び第２の突状部が設けられ、そして
前記容器本体及び前記蓋体の合体時に、前記第１の突起部及び前記第２の突起部は、その先端部で互いに当接又は近接する
ことを特徴とする殺鼠剤収納容器。
【請求項２】
鼠が侵入する侵入口を有する容器本体と、当該容器本体に合わされるための蓋体と、を備えて、中央部に貫通孔を有する固形状の殺鼠剤を前記容器本体の内部に収容するための殺鼠剤収納容器であって、
前記貫通孔を用いて前記殺鼠剤を前記容器本体の内部で保持するため、前記容器本体の底面又は前記蓋体の裏面のいずれか一方に、突状部が設けられ、そして
前記容器本体及び前記蓋体の合体時に、前記突状部は、その先端部で、前記蓋体の裏面又は前記容器本体の底面のうち前記一方に対し他方となる面と当接又は近接する
ことを特徴とする殺鼠剤収納容器。
【請求項３】
前記突状部により前記殺鼠剤が保持されて設置される薬剤設置部と、前記侵入口と、を結ぶ前記鼠の経路途中で且つ前記侵入口の近傍に、壁面が設けられている
ことを特徴とする請求項１又は２に記載の殺鼠剤収納容器。
【請求項４】
前記侵入口が前記容器本体に複数設けられ、そして
この複数の侵入口が互いに非対向位置になるように配設されている
ことを特徴とする請求項１〜３のいずれか１つに記載の殺鼠剤収納容器。
【請求項５】
前記容器本体及び前記蓋体のそれぞれが、略八角形状に形成されている
ことを特徴とする請求項１〜４のいずれか１つに記載の殺鼠剤収納容器。
【発明の詳細な説明】
【技術分野】
【０００１】
本発明は、鼠を駆除するのに好適な殺鼠剤収納容器に関し、より詳しくは固形状の殺鼠剤を容器本体内部に収容するための殺鼠剤収納容器に関する。
【背景技術】
【０００２】
鼠を駆除するものとして、有効成分を含んで鼠に喫食させるための殺鼠剤が知られており、そして、この殺鼠剤をその内部に収納して人の誤食防止を図る殺鼠剤収納容器が用いられている。この種の従来の殺鼠剤収納容器としては、図８に示すように、上面が開口された箱１０１及びこの箱１０１の開口を覆う蓋体１０２を有して、この箱１０１の底面上に粒状の殺鼠剤１０３が設置されて使用される殺鼠剤収納容器１００が知られている（例えば、特許文献１参照）。また、この殺鼠剤収納容器１０１の箱１０１の両側面部には、鼠が侵入するための孔（侵入口）１０４が互いに対向して配置された構造を有している。
【０００３】
さらに、他の従来の例としては、蓋体が容器本体と合わされる容器本体の底面の一部に水と殺鼠剤とを収納するための窪みが設けられ、そして容器本体のその他部側における両側面に、上記特許文献１と同じく侵入口が互いに対向するように配設された殺鼠剤収納容器が知られている（例えば、非特許文献１参照）。
【０００４】
ところで、従来の殺鼠剤は所定回数喫食させることにより有効成分を鼠体内に徐々に蓄積させ、その蓄積の結果致死させるものであったが、近年では、一層の駆除効果を高めるため、鼠の１回の喫食で駆除効果が現れ得る殺鼠剤が開発されている。
そして、その一方、その殺鼠剤自体の喫食性及び取扱性の向上を図るため、粒状ではなく、鼠を駆除させるための有効成分をロウ、パラフィン等に添加してブロック状に固形化された殺鼠剤が開発されている。なお、このような固形状の殺鼠剤は、鼠が出没しそうな箇所に露出された状態で設置されて用いられることもある。
【０００５】
なお、現状の殺鼠剤は、連続喫食を必要とする毒餌剤が多い。このような毒餌剤は、害虫駆除における殺虫剤のように直接噴射して経皮的な効果を期待できるものではない。このため、ネズミの駆除においては、その毒餌剤についてネズミの摂食性が良いかどうかが、ネズミの駆除効果に大きな影響をもつものである。
【０００６】
ところで、従来技術として胡麻油で処理した餌を捕獲装置内にまいて用いることが知られているが（例えば特許文献２参照）、パラフィン含有殺鼠用毒餌剤との関係は何ら開示または示唆されていない。更にピーナッツをネズミ捕りのバネに仕掛けられるようにするネズミ捕りの餌に関するものが知られているが（例えば、特許文献３参照）、パラフィン含有殺鼠用毒餌剤との関係は何ら開示または示唆されていない。つまりこれらの従来技術は何れも、パラフィン含有殺鼠用毒餌剤との関連性がない。
【特許文献１】実開昭５５−１４０３９１号公報
【特許文献２】特公昭６４−４７２７号公報
【特許文献３】実用新案登録第３０８７９４６号公報
【非特許文献１】Bell Laboratories, Inc.ホームページ内、＜URL:http://www.belllabs.com/cgi-bin/products.cgi?op=p&nm=domerodbai＞
【発明の開示】
【発明が解決しようとする課題】
【０００７】
ここで、上記特許文献１に開示された殺鼠剤収納容器１００では、箱１０１に設置される殺鼠剤１０３が粒状であり、また設置面に対して適切に保持されていないため、例えば容器本体が傾いた場合など、その殺鼠剤の設置が安定せずに、容器内部で散らかったり、或いは容器本体から外部へこぼれ出たりする嫌いがあり、その取り扱いに配慮する必要があり、使い勝手が悪かった。そして、これに加えて、容器本体から殺鼠剤がこぼれ出た場合には、万が一に幼児が殺鼠剤に触れた手を口にする場合等、殺鼠剤を誤食してしまう虞があり人体への影響が懸念され、衛生的に好ましくなかった。また、その粒状の殺鼠剤１０３に代えて、前述したような固形状のものを設置した場合にも、設置面に対して適切にその固形状の殺鼠剤が保持されていないため、容器本体の傾き又は揺動によりその周壁に固形状の殺鼠剤が衝突してしまい粉砕される虞があり、粒状のものと同様に、使い勝手が悪く、また衛生的に好ましくなかった。
【０００８】
さらに、上記特許文献１及び非特許文献１のように侵入口１０４が箱１０１の対向位置に配置されているために、侵入口１０４から容器本体内部へ光が入り易く、このため、殺鼠剤１０３の周囲が明るくなってしまい、鼠は暗い所を好む習性があるため鼠の警戒心を解きにくくなって、容器内部への誘引性が良好ではなかった。
【０００９】
一方、殺鼠用毒餌剤にパラフィン類が含まれていると、前記毒餌剤を全く摂食しないか殆ど摂食しない、ひいては殺鼠効果が得られなくなるという極めて深刻な問題点があった。
【００１０】
本発明は、前述した事情に鑑みてなされたものであり、その第１の目的は、固形状の殺鼠剤を容器内部に安定的に保持して、容器本体の取り扱いを容易にすると共に人（特に幼児）の誤食等を防止して衛生を確保することができる殺鼠剤収納容器を提供することにあり、そして第２の目的は、この第１の目的に加えて容器内部への誘引性の向上を図ることにある。
【課題を解決するための手段】
【００１１】
本発明の前述の目的は、下記の構成により達成される。
（１）  鼠が侵入する侵入口を有する容器本体と、当該容器本体に合わされるための蓋体と、を備え、中央部に貫通孔を有する固形状の殺鼠剤を前記容器本体の内部に収容するための殺鼠剤収納容器であって、
前記貫通孔を用いて前記殺鼠剤を前記容器本体の内部で保持するため、前記容器本体の底面及び前記蓋体の裏面のそれぞれに、第１の突状部及び第２の突状部が設けられ、そして
前記容器本体及び前記蓋体の合体時に、前記第１の突起部及び前記第２の突起部は、その先端部で互いに当接又は近接する
ことを特徴とする殺鼠剤収納容器。
（２）  鼠が侵入する侵入口を有する容器本体と、当該容器本体に合わされるための蓋体と、を備えて、中央部に貫通孔を有する固形状の殺鼠剤を前記容器本体の内部に収容するための殺鼠剤収納容器であって、
前記貫通孔を用いて前記殺鼠剤を前記容器本体の内部で保持するため、前記容器本体の底面又は前記蓋体の裏面のいずれか一方に、突状部が設けられ、そして
前記容器本体及び前記蓋体の合体時に、前記突状部は、その先端部で、前記蓋体の裏面又は前記容器本体の底面のうち前記一方に対し他方となる面と当接又は近接する
ことを特徴とする殺鼠剤収納容器。
（３）  前記突状部により前記殺鼠剤が保持されて設置される薬剤設置部と、前記侵入口と、を結ぶ前記鼠の経路途中で且つ前記侵入口の近傍に、壁面が設けられている
ことを特徴とする上記（１）又は（２）の殺鼠剤収納容器。
（４）  前記侵入口が前記容器本体に複数設けられ、そして
この複数の侵入口が互いに非対向位置になるように配設されている
ことを特徴とする上記（１）〜（３）のいずれか１つの殺鼠剤収納容器。
（５）  前記容器本体及び前記蓋体のそれぞれが、略八角形状に形成されている
ことを特徴とする上記（１）〜（４）のいずれか１つの殺鼠剤収納容器。
なお、本発明の殺鼠剤収納容器に収容する殺鼠剤としては、殺鼠成分とパラフィン類とを含む殺鼠用毒餌剤に、摂食阻害作用を打消す成分が配合された殺鼠用毒餌剤を用いることができる。前記摂食阻害作用を打消す成分は植物油であることが好ましく、胡麻油であることがより好ましい。
【００１２】
上記（１）の構成によれば、容器本体及び蓋体の合体時（閉塞時）に、容器本体の底面及び蓋体の裏面それぞれに設けられた突状部が、その先端部で互いに当接又は近接するので、使用時に、殺鼠剤は容器本体内部に安定的に保持されることになり、容器本体の取り扱いを容易にすると共に人（特に幼児）の誤食等を防止して衛生を確保することができる。即ち、容器本体及び蓋体の開放時に、容器本体の底面に設けられた突状部が固形状の殺鼠剤に設けられた貫通孔に嵌挿されるように、殺鼠剤は突状部に嵌め込まれ、所定の薬剤設置部上にセットされる。そして、容器本体及び蓋体の閉塞時に蓋体に設けられた突状部と容器本体の突状部とがその先端部で当接又は近接する。このため、殺鼠剤はその薬剤設置部に対して位置がずれて移動してしまうことがなく、その取り扱いに別段注意を払う必要がなく、加えてその容器本体の傾き又はその揺動に伴って殺鼠剤が移動して容器本体の周壁等との衝突がなく粉砕することがない。さらに、殺鼠剤の貫通孔を用いて保持するので、殺鼠剤表面を可能な限り露出させることができ、また突状部により所定の箇所に保持されるので殺鼠剤表面が他の部材と係合する等して隠れることがない。このため、鼠の喫食可能性を高めることができる。なお、容器本体及び蓋体に設けられる突状部それぞれは、単一に限らず、容器本体の突状部及び蓋体の突状部がその閉塞時に互いに当接又は近接し得れば、その個数は複数でも構わなく、またその形状も柱状には限定されない。例えば、容器本体の突状部及び蓋体の突状部のうち、その一方又は両方、或いはその一部が二股の突状部として設けられてもよい。
上記（２）の構成によれば、容器本体及び蓋体の合体時（閉塞時）に、容器本体の底面又は蓋体の裏面のいずれか一方に設けられた突状部が、その先端部で、蓋体の裏面又は容器本体の底面のうちその一方に対し他方となる面と当接又は近接するので、使用時に、殺鼠剤は容器本体内部に安定的に保持されることになり、容器本体の取り扱いを容易にすると共に人（特に幼児）の誤食等を防止して衛生を確保することができる。即ち、容器本体及び蓋体の開放時に、突状部が固形状の殺鼠剤に設けられた貫通孔に嵌挿されるように、予め殺鼠剤が突状部に直接嵌め込まれるか、或いは所定の薬剤設置部上に載置されることにより、その殺鼠剤がセットされる。そして、容器本体及び蓋体の閉塞時に容器本体又は蓋体に設けられた突状部が、その先端部で蓋体の裏面又は容器本体の底面に当接又は近接する。このため、殺鼠剤はその薬剤設置部に対して位置がずれて移動してしまうことがなく、その取り扱いに別段注意を払う必要がなく、加えてその容器本体の傾き又はその揺動に伴って殺鼠剤が移動して容器本体の周壁等との衝突がなく粉砕することがない。さらに、殺鼠剤の貫通孔を用いて保持するので、殺鼠剤表面を可能な限り露出させることができ、また突状部により所定の箇所に保持されるので殺鼠剤表面が他の部材と係合する等して隠れることがない。このため、鼠の喫食可能性を高めることができる。なお、容器本体又は蓋体に設けられる突状部は、単一に限らず、容器本体の突状部又は蓋体の突状部がその閉塞時に蓋体の蓋面又は容器本体の底面に当接又は近接し得れば、その個数は複数でも構わなく、またその形状も柱状には限定されない。例えば、容器本体の突状部又は蓋体の突状部のうち、その一方又は両方、或いはその一部が二股の突状部として設けられてもよい。
上記（３）の構成によれば、薬剤設置部と侵入口とを結ぶ鼠の経路途中で且つその進入口の近傍に、壁面が設けられているので、例えば悪戯等により、幼児が侵入口に指等を誤って挿入してしまった場合でも、その壁面により、その指の挿入による薬剤設置部へ到達が阻害されて、殺鼠剤に直接接触する虞がなく、殺鼠剤収納容器の誤食防止機能を向上させることができて衛生を更に確保することができる。
上記（４）の構成によれば、複数の侵入口が互いに非対向位置になるように容器本体に配設されているので、多量の光が照射される部位が容器本体内部で形成されるのを防止し、容器本体内部を暗くすることができる。このため、暗い場所を好む習性がある鼠に警戒心を解かせて殺鼠剤が設置されている薬剤設置部へと効率よく誘引することができる。
上記（５）の構成によれば、容器本体及び蓋体のそれぞれが互いに対応するように略八角形状に形成されているので、それらの一つの辺を食器棚の側面等に沿って配置することで、壁伝いに進行する鼠の習性に合わせて、効率よく容器本体内部へ誘引することができる。また、例えば、その略八角形状の斜面２箇所で且つ互いに非対向位置となるように侵入口を配設すれば、その殺鼠剤収納容器を部屋の隅部に配置した場合等、侵入口が塞がれることなく、鼠が侵入するため及び殺鼠剤の匂を漂わせるために必要な隙間（空間）が侵入口外方に形成されるので、鼠の容器本体内部への誘引性を高めることができる。
また、殺鼠成分とパラフィン類とを含む殺鼠用毒餌剤に、摂食阻害作用を打消す成分を配合した殺鼠用毒餌剤は、忌避性を示すことなく鼠にとって摂食性がよくなるので、鼠を殺す有効成分を鼠に効果的に摂取させることができる。したがって鼠を有効に駆除することができる。そして、摂食阻害作用を打消す成分として植物油を使用すると、摂食性をさらに高めることができ、胡麻油を使用すると、摂食性をより一層高めることができる。
【００１３】
次に、本発明に用いる殺鼠用毒餌剤（以下、「本発明の殺鼠用毒餌剤」ともいう。）について説明する。殺鼠剤としては、殺鼠成分等の有効成分と摂食阻害作用を打消す成分とを含有し、パラフィン類で固める等することで、固形状に形成される。
殺鼠成分としては、例えば、ワルファリン、クマリン、クマテトラリルなどのクマリン系化合物；ジフェチアロール、ジフェナコン、ブロジファコン、ブロマジオロン、フロクマフェン等のトリアリール置換クマリン系化合物、クロロファシノン、ジファシノン、ピンドン、バロンなどのインダンジオン系化合物が挙げられる。
【００１４】
また、本発明の殺鼠用毒餌剤に含まれるパラフィン類としては、パラフィン、蜜蝋、鯨蝋、セラック蝋、カルナバ蝋、木蝋等のロウ、ライスワックス、キャンデリラワックス、パラフィンワックス、マイクロクリスタリンワックス、モンタンワックス、オゾケライト等が挙げられ、常温で固体の性状を有し、加熱により比較的低粘度な液体となる物質が好ましい。また、パラフィンとしては、常温固体の脂肪族炭化水素が好ましい。
【００１５】
また、本発明の殺鼠用毒餌剤には、前記各種成分に加え、摂食阻害作用を打消す成分が配合される。該成分としては、コーン油、米ヌカ油、大豆油、オリーブ油、ナタネ油、綿実油、エゴマ油、および胡麻油等から選ばれる１種または２種以上の植物油が好ましい。なかでも、胡麻（ＳＥＳＡＭＥ）、胡麻フレーバー、胡麻エッセンス、胡麻テイストフレーバー、胡麻エキス等の胡麻由来成分を含有する植物油が好ましく、エゴマ油、胡麻油などが挙げられ、胡麻油が特に好ましい。
【００１６】
また前記したもの以外に必要に応じて配合可能なものとしては、炭水化物である穀類粉末として、玄米、白米、小麦、大麦、コメ、そば等の粉末、芋類粉末としては、ジャガイモ、サツマイモ等の粉末、或いはそれらのデンプン粉、糖類（例えばショ糖、ブドウ糖、果糖、乳糖、黒砂糖、赤砂糖、三温糖）が挙げられる。また、大豆、落花生、ナッツ（アーモンド、ピーナッツ、クルミ、カシュナッツ、ピスタチオナッツ、マカデミアナッツなど）、トウモロコシ、その他の種子や木の実等の粒類；その他、魚の粉類、油揚、サツマ揚、バター、糖蜜、ソーセージ、パン、バナナ、リンゴなどが挙げられる。
【００１７】
その他の成分としては、下記に示すものを適宜配合してもよい。
さらに香料としては、例えばチーズ香料、バター香料、ピーナッツ香料、ピーチ香料、ストロベリー香料、ミルク香料などの甘味香料が挙げられる。酸化防止剤としては、例えばエリソルビン酸、エリソルビン酸ナトリウム、ジブチルヒドロキシトルエン、ｄｌ−α−トコフェロール、ノルジヒドログアヤレチック酸、メチルヒドロキシアニソール、没食子酸プロピル、グアヤク脂、Ｌ−システィン塩酸塩などが挙げられる。保存料としては、例えば安息香酸、安息香酸ナトリウム、サリチル酸、ソルビン酸、ソルビン酸カリウム、デヒドロ酢酸、デヒドロ酢酸ナトリウム、パラオキシ安息香酸イソブチル、パラオキシ安息香酸イソプロピル、プロピオン酸カルシウム、プロピオン酸ナトリウムなどが挙げられる。誤食防止剤としては、安息香酸デナトニウム、アセチル化蔗糖、トウガラシ末、トウガラシエキスなどを挙げることができる。色素としては、青色、赤色、黄色などの各種法定色素を用いることができる。また、上記植物油の加水分解物を配合することができる。
【００１８】
各成分の配合量の範囲について述べると、殺鼠成分の配合量は、該成分の種類にもよるが摂食性を低下させないためには、３質量％以下とするのが良い。また、前記パラフィン類の配合量は好ましくは２０〜３５質量％、より好ましくは２５〜３５質量％である。
【００１９】
前記摂食阻害作用を打消す成分、例えば胡麻油の配合量は、駆除しようとするネズミの種類により、それに適した配合量を設定することもでき、例えばドブネズミに対しては例えば２０〜３０質量％、クマネズミに対しては５〜１５質量％と設定することが好ましい。なお、ドブネズミとクマネズミの両方を駆除する場合には、例えば５〜２０質量％、好ましくは１０〜１５質量％とする。
【００２０】
本発明の殺鼠用毒餌剤は、上記各種成分を混合し、加熱融解し、成形することにより製造することができる。
【発明の効果】
【００２１】
本発明によれば、固形状の殺鼠剤を容器内部に安定的に保持して、容器本体の取り扱いを容易にすると共に人（特に幼児）の誤食等を防止して衛生を確保することができる殺鼠剤収納容器を提供することができる。
また本発明によれば、前記容器に使用しうる、ネズミの摂食性の良好な殺鼠用毒餌剤を提供することができる。
【発明を実施するための最良の形態】
【００２２】
以下、本発明に係る好適な実施形態について、図面を参照しながら説明する。
図１〜図７は本発明に係る殺鼠剤収納容器の好適な一実施形態を示すものであり、図１は本発明の一実施形態に係る殺鼠剤収納容器の分解斜視図であり、図２は図１の殺鼠剤収納容器の組立後の外観斜視図であり、図３(Ａ)，(Ｂ)，(Ｃ)は図１の殺鼠剤収納容器に適用される殺鼠剤の使用手順を説明するそれぞれ外観斜視図であり、図４は図２の殺鼠剤収納容器の一部破断平面図であり、図５は図４のＩ−Ｉ線断面図であり、図６は本発明に係る殺鼠剤収納容器の第１変形例を説明する図４のＩ−Ｉ線相当断面図であり、図７は本発明に係る殺鼠剤収納容器の第２変形例を説明する図４のＩ−Ｉ線相当断面図である。
【００２３】
図１に示すように、殺鼠剤収納容器１０は、容器本体１１と、蓋体１２と、を備えて構成されおり、後述するように２個の殺鼠剤１３，１３がその容器本体１１内部に収容保持される。
【００２４】
容器本体１１は、外形が略八角形状になるように例えばＰＰ（ポリプロピレン）等の樹脂材により射出成形され、略八角形状の底面２２と、この底面２２の前方縁部から上方に立設して設けられる３枚の前方外壁１４，１５，１６と、この底面２２の後方縁部から上方に立設して設けられる３枚の後方外壁１７，１８，１９と、この底面２２の両側縁部から立設して設けられる一対の側方外壁２０，２１と、を有して構成され、その上部には開口部２３を有している。
なお、これら外壁１４，１５，１６，１７，１８，１９，２０，２１は、周方向で隣接される外壁同士で互いに連結された状態で成形されて、容器としての機能を有することになる。また、図１の斜視図中手前側を「前方」とし、この逆方向を「後方」とする。
【００２５】
前方外壁１４，１５，１６、後方外壁１７，１８，１９、及び側方外壁２０，２１は、いずれも容器本体１１内部に対して外方に向けて僅かに傾斜されて立設されており、このため、開口部２３は底面２２の領域に対して僅かに広くなるように形成されている。
【００２６】
また、底部２２の両側部側に位置する前方外壁１４，１６には、底面２２の端部から開口部２３に向けて延びるように矩形状の侵入口２４，２５がそれぞれ２箇所設けられている。即ち、侵入口２４，２５は、互いに非対向位置になるように容器本体１１に配設されることになり、また、この侵入口２４，２５は、鼠の容器本体１１内部への誘引性を高めるため、その底部で底面２２に形成されている切欠部２６，２７を含んで構成されている。
【００２７】
中央に位置する前方外壁１５の開口部２３側には、その中央部に係合孔２８を有する平板状の係止部２９が設けられており、また、側方外壁２０，２１の開口部２３側には、可撓係止片３０，３１がそれぞれ形成されている。
【００２８】
ここで、中央に位置する前方外壁１５及び後方外壁１８で挟まれた底面２２の矩形領域部は、殺鼠剤１３がセットされる薬剤設置部３２として機能することになる。そして、この薬剤設置部３２上には、所定の高さ寸法を有する２本の容器本体側突状部（第１の突状部）３３，３４が、それぞれ前方外壁１５及び後方外壁１８の間の前後方向で隣接し且つその前方外壁１５又は後方外壁１８と離間する位置になるように柱状に突出形成されている。
【００２９】
さらに、薬剤設置部３２の両側には、一対のＬ字形状の内壁３５，３６が、そのＬ形状の底壁部３８，３８で前方外壁１５と後方外壁１８とを連結すると共にそのＬ字形状の本体部３７，３７で前方側壁１５と接続するように設けられている。このため、侵入口２４，２５から侵入して殺鼠剤３２に向かう鼠の侵入経路を屈曲させることができ、加えて容器本体１１の剛性を高めることができる。
【００３０】
内壁３５，３６の本体部３７，３７の上端部は、蓋体１２の下面の形状に沿うように形成されており、そして容器本体１１及び蓋体１２の閉塞時に蓋体と当接するように高さ寸法を有している。一方、内壁３５，３６の底壁部３８は、容器本体１１の剛性を確保しながらも鼠が容易に乗り越え易いように、底面２２からの長さが所定の短寸形状となるように形成されている。
【００３１】
即ち、内壁３５，３６の本体部３７，３７及び側方外壁２０，２１による区画により、侵入口２４，２５付近の鼠の侵入経路は直線状になり、そして侵入口２４，２５から更に奥に入ったところ（侵入口２４，２５の後方）では、側方外壁２０，２１及び後方外壁１７，１９による区画と、内壁３５，３６の底板部３８，３８による薬剤設置部３２への開放と、により、鼠の侵入経路がＬ字状に屈曲されることになる。なお、このとき、内壁３５，３６の本体部３７が鼠の侵入経路途中で且つ侵入口２４，２５近傍に配置された壁面として機能することになる。
【００３２】
一方、蓋体１２は、例えばＰＰ（ポリプロプレン）等の樹脂材により射出成形され、天板３９及び周壁４０を有し、また、その外形が容器本体１１の開口部２３に対応して略八角形状に成形される。そして、蓋体１２は、容器本体１１の後方外壁１８の上端部に設けられたヒンジ部材４１を介して回動自在に連結されている。
【００３３】
天板３９では、閉塞時においてその中央部が周壁４０より上方に向けて高く（図２参照）なるように形成され、そしてその側部がそれぞれ周壁４０に向けて傾斜した形状を有している。天板３９の裏面上には、所定の高さ寸法を有して、容器本体１１及び蓋体１２の閉塞時、容器本体側突状部３３，３４に近接することになる２本の蓋側突状部４２，４３が、前後方向で隣接し且つその周壁４０と離間する位置になるように柱状に突出形成されている。
【００３４】
そして、ヒンジ部材４１と対向する位置の周壁４０の中央部には、可撓係止片４４を有して容器本体１１の係合孔２８に係合される平板状の係止部４５が設けられており、また、その側部には、容器本体１１の可撓係止片３０，３１がそれぞれ係合される係合孔４６，４７がそれぞれ形成されている。
【００３５】
殺鼠剤１３，１３は、例えばパラフィン類等に鼠を駆除するための有効成分を添加し、そしてこのパラフィン類を固める際、鼠の喫食性を高めるため端面に４個の等脚台形状を均一に有した固形状の薬剤であり、そして、その中央部には貫通孔状の取付孔（図４参照）４８，４８が形成されている。
なお、取付孔４８の内径は、容器本体側突状部３３，３４及び蓋体側突状部４２，４３に嵌挿され易いように、これら外径よりも僅かに大きく設定されている。また、殺鼠剤１３，１３は、取付孔４８，４８を用いて容器本体１１の容器本体側突状部３３，３４にそれぞれ嵌め込まれることで、容器本体１１内部で位置決めされて取り付けられることになる。
【００３６】
図２に示すように、殺鼠剤収納容器１０は、容器本体１１及び蓋体１２の開口時（図１参照）に予め容器本体１１に殺鼠剤１３，１３が取り付けられ、ヒンジ部材４１を中心とした回動動作により蓋体１２が容器本体１１に被せられ、そして蓋体１２の係合孔４６，４７が容器本体１１の可撓係止片３０，３１にそれぞれ係合されると共に蓋体１２の可撓係止片４４が容器本体１１の係合孔２８に係合されることで閉塞されることになる。
【００３７】
次に、殺鼠剤１３の殺鼠剤収納容器１０の容器本体１１への取り付けについて説明する。
図３（Ａ）に示すように、殺鼠剤１３は、透明又は半透明のフィルムであるバージンシール４９が貼り付けられているパッケージ５０内に収容された形態で、殺鼠剤収納容器１０に同梱又は別売りで販売される。そして、図３（Ｂ）に示すように、使用時に、バージンシール４９が剥される。
【００３８】
次に図３（Ｃ）に示すように、バージンシール４９が剥されたパッケージ５０がその下部（図３（Ｃ）では上方となる）において指で摘まれて、この摘まれた状態で上下が逆さまにされ、殺鼠剤１３の取付孔４８，４８が容器本体側突状部３３，３４の軸芯と一致するように位置された上で、容器本体側突状部３３，３４にそれぞれ落とし込まれることで、殺鼠剤１３が自然落下して取り付けられることになる。
【００３９】
このとき、使用者はパッケージ５０を摘みながら、容器本体側突状部３３，３４への取り付けを行うことができるので、殺鼠剤１３に直接接触することなく殺鼠剤１３のセットを行うことができる。したがって、手と殺鼠剤１３との接触をないので誤食等を防ぐことができ、衛生を確保することができる。
【００４０】
また、図４及び図５に示すように、取付孔４８，４８を用いて容器本体１１の容器本体側突状部３３，３４それぞれに殺鼠剤１３，１３が嵌め込まれた後、蓋体１２が閉塞されることにより、容器本体側突状部３３，３４及び蓋体側突状部４２，４３は、その先端部で近接することになる。このため、殺鼠剤１３は、容器本体側突状部３３，３４及び蓋体側突状部４２，４３より、容器本体１１内部に安定的に保持されることになり、従来のように、容器本体１１が傾いたり或いは揺動されたりすることにより、殺鼠剤１３が移動して容器本体１１の外壁等との衝突を回避することができ、粉砕することがない。また、その取り使いに別段注意を払う必要もなくなる。
なお、蓋体１２が閉塞されることで、容器本体側突状部３３，３４に蓋体側突状部４２，４３が、当接するように設けても同様な効果を得ることができる。
【００４１】
そして、内壁３５，３６の本体部３７，３７及び側方外壁２０，２１による区画により、侵入口２４，２５付近の鼠の侵入経路は直線状になり、そして侵入口２４，２５から更に奥に入ったところでは、側方外壁２０，２１及び後方外壁１７，１９による区画と、内壁３５，３６の底板部３８，３８による薬剤設置部３２への開放と、により、鼠の侵入経路がＬ字状に屈曲される。このとき、内壁３５，３６の本体部３７が鼠の侵入経路途中で且つ侵入口２４，２５近傍に配置された壁面として機能することになるので、例えば悪戯等により、幼児が侵入口２４，２５に指等を誤って挿入してしまった場合でも、その内壁３５，３６の本体部３７，３７により、その指に挿入による薬剤設置部３２への到達が阻害されて、殺鼠剤１３に直接接触する虞がなく、殺鼠剤収納容器１０の誤食防止機能を向上させることができて衛生を更に確保することができる。
【００４２】
また、殺鼠剤収納容器１０は、例えば、一つの辺である後方外壁１８を食器棚等の側面等に沿って配置されて使用される。このとき、殺鼠剤１３に含有される有効成分により誘引された鼠は、侵入口２４，２５から侵入する。ここで、侵入口２４，２５が互いに非対向位置になるように容器本体１１に配設されているので、多量の光が照射される部位が容器本体内部で形成されるのを防止し、容器本体１１内部を暗くすることができる。このため、暗い場所を好む習性がある鼠に警戒心を解かせて殺鼠剤１３が設置されている薬剤設置部３２へと効率よく誘引することができる。そして、鼠は殺鼠剤１３，１３を喫食し、その後死に至ることになる。
【００４３】
以上説明したように、本実施形態によれば、容器本体１１及び蓋体１２の閉塞時に、容器本体１１の底面２２に設けられている容器本体側突状部３３，３４と、蓋体１２の裏面に設けられる蓋体側突状部４２，４３と、が、その先端部で互いに近接するので、使用時に、殺鼠剤１３は容器本体１１内部に安定的に保持されることになり、容器本体１１の取り扱いを容易にすると共に人（特に幼児）の誤食等を防止して衛生を確保することができる。また、殺鼠剤１３の貫通孔４８を用いて保持するので、殺鼠剤１３表面を可能な限り露出させることができ、また突状部３３，３４，４２，４３により所定の箇所に保持されるので殺鼠剤１３表面が他の部材と係合する等して隠れることがない。このため、鼠の喫食可能性を高めることができる。
【００４４】
また、本実施形態によれば、容器本体１１および蓋１２体のそれぞれが略八角形状に形成されるので、それらの一つの辺を食器棚の側面等に沿って配置することで、壁伝いに進行する鼠の習性に合わせて、効率よく容器本体１１内部へ誘引することができる。また、例えば、その略八角形状の斜面部となる前方外壁１４，１６の２箇所に侵入口２４，２５が配設されているので、殺鼠剤収納容器１０を部屋の隅部に配置した場合等、侵入口２４，２５が塞がれることなく、鼠が侵入するため及び殺鼠剤の匂を漂わせるために必要な隙間（空間）が侵入口２４，２５外方に形成されるので、鼠の容器本体１１内部への誘引性を高めることができる。
【００４５】
次に、図６を参照して、本発明に係る殺鼠剤収納容器の他の変形例となる第１変形例について説明する。
【００４６】
本変形例では、底面２２の薬剤設置部３２の中央部に、閉塞時に、蓋体１２の天板３９に近接するような所定の高さ寸法を有する２本の容器本体側突状部５１，５１が前方外壁１４と後方外壁１８との間の前後方向で隣接し、且つその前方外壁１５又は後方外壁１８と離間する位置になるように柱状に突出形成されている。
【００４７】
本変形例は、前述の実施形態と同様の作用効果を奏するが、特に、本変形例によれば、容器本体１１にのみ、蓋体１２の天板３９に近接する容器本体側突状部５１，５１を設ければよいので、殺鼠剤収納容器１０の成形を簡素化することができて製造コストを抑制することができる。
【００４８】
次に、図７を参照して、本発明に係る殺鼠剤収納容器の更に他の変形例である第２変形例について説明する。
【００４９】
本変形例では、蓋体１２の天板３９の中央部に、閉塞時に、容器本体１１の底面２２に当接するような所定の高さ寸法を有する２本の蓋体側突状部５２，５２が前後方向で隣接し、且つその周壁４０と離間する位置になるように柱状に突出形成されている。
なお、本変形例では、容器本体１１及び蓋体１２の閉塞により、殺鼠剤１３，１３の取付孔４８，４８に蓋体側突状部５２，５２が嵌め込まれる構成であるため、その開放時に殺鼠剤１３，１３が定められた位置に予め設置されて使用されることになる。
【００５０】
本変形例は、前述の実施形態と同様の作用効果を奏するが、特に、本変形例によれば、蓋体１２にのみ、容器本体１１の底面２２に当接する蓋体側突状部５２，５２が設けられているので、殺鼠剤収納容器１０の成形を簡素化することができて製造コストを抑制することができる。
【００５１】
なお、本発明は、前述した実施形態に限定されるものではなく、適宜、変形、改良、等が可能である。その他、前述した実施形態における各構成要素の材質、形状、寸法、数、配置箇所、等は本発明を達成できるものであれば任意であり、限定されない。
例えば、容器本体又は蓋体に設けられる突状部は、単一に限らず、容器本体の突状部又は蓋体の突状部がその閉塞時に蓋体の蓋面又は容器本体の底面に当接又は近接し得れば、その個数は複数でも構わなく、またその形状も柱状には限定されない。例えば、容器本体の突状部又は蓋体の突状部のうち、その一方又は両方、或いはその一部が二股の突状部として設けられてもよい。
【実施例】
【００５２】
以下、実施例により本発明の殺鼠用毒餌剤を具体的に説明する。ただし、本発明はこれらの実施例のみに限定されるものではない。
【００５３】
実施例１および比較例１
下記表１に示す処方により、本発明の殺鼠用毒餌剤および比較例の殺鼠用毒餌剤をそれぞれ調製した。
【００５４】
【表１】
0005212698.tif 000002
【００５５】
実施例２および比較例２
クマネズミ（オス成獣）を１匹入れた飼育用ケージに、上記で調製した実施例１および比較例１の毒餌剤を約５０ｇづつガラスの器に入れて並置し、1晩自由に喫食させて、試験前後の毒餌剤重量（容器込みで測定）から、実施例１および比較例１の毒餌剤に対する喫食量（1晩）を算出した。室温は２０〜２５℃に保ち、水は自由に飲めるようにした。結果を表２に示す。なお、実施例２および比較例２において、試験は別のクマネズミを用いてそれぞれ３回行なった。
【００５６】
【表２】
0005212698.tif 000003
【００５７】
なお表２において、喫食量の数値が−０．０６ｇとは、ネズミがほとんど毒餌剤を喫食しなかったことを意味する（マイナスの数値は、温度変化による微量の水滴の付着や、ネズミの唾液、尿等の付着による）。
【００５８】
表２の結果から、本発明の毒餌剤は、摂食阻害作用を打消す成分を配合しているので、パラフィン類を含む殺鼠用毒餌剤であっても良好なネズミの摂食性が得られることが分かる。
【図面の簡単な説明】
【００５９】
【図１】本発明の一実施形態に係る殺鼠剤収納容器の分解斜視図である。
【図２】図１の殺鼠剤収納容器の組立後の外観斜視図である。
【図３】(Ａ)は図１の殺鼠剤収納容器に適用される殺鼠剤の使用手順を説明する第１段階の外観斜視図、（Ｂ）は図１の殺鼠剤収納容器に適用される殺鼠剤の使用手順を説明する第２段階の外観斜視図、(Ｃ)は図１の殺鼠剤収納容器に適用される殺鼠剤の使用手順を説明する第３段階の外観斜視図である。
【図４】図２の殺鼠剤収納容器の一部破断平面図である。
【図５】図４のＩ−Ｉ線断面図である。
【図６】本発明に係る殺鼠剤収納容器の第１変形例を説明する図４のＩ−Ｉ線相当断面図である。
【図７】本発明に係る殺鼠剤収納容器の第２変形例を説明する図４のＩ−Ｉ線相当断面図である。
【図８】従来の殺鼠剤収納容器の概略図である。
【符号の説明】
【００６０】
１０  殺鼠剤収納容器
１１  容器本体
１２  蓋体
１３  殺鼠剤
２４  侵入口
２５  侵入口
３２  薬剤設置部
３３  容器本体側突状部（第１の突状部）
３４  容器本体側突状部（第１の突状部）
３５  内壁（壁面）
３６  内壁（壁面）
３７  本体部（壁面）
４２  蓋体側突状部（第２の突状部）
４３  蓋体側突状部（第２の突状部）
４８  取付孔（貫通孔）
５１  容器本体側突状部（突状部）
５２  蓋体側突状部（突状部）
【図１】
0005212698.tif 000004
【図２】
0005212698.tif 000005
【図３】
0005212698.tif 000006
【図４】
0005212698.tif 000007
【図５】
0005212698.tif 000008
【図６】
0005212698.tif 000009
【図７】
0005212698.tif 000010
【図８】
0005212698.tif 000011